(57)【要約】【課題】  撮影者側でエフェクト処理された画像をモニタ表示させながら、被写体となる人物側では画角が容易に確認できるようにする。【解決手段】  いずれかのエフェクトの種類が選択されたならば、メイン表示部にはステップＳ１０３で選択されたエフェクトをかけたスルー画像を表示し（Ｓ１０４）、一方サブ表示部には、エフェクトをかけていないスルー画像を表示する（Ｓ１０５）。したがって、ユーザは、メイン表示部に表示された画と、サブ表示部に表示された画像とを見比べて、両者にどの程度の差があるか、あるいはエフェクトをかけた方が良いか否かを、画像が記録される前に確認することができる。そして、ユーザがこの確認の結果、エフェクトをかけた方が良いと判断した場合には決定キーが操作を操作すると、Ｓ１０６の判断がＹＥＳとなり、エフェクトをかけた画像を保存する（Ｓ１０７）。【選択図】    図５
2005318347.tif 000002
【特許請求の範囲】
【請求項１】
撮像手段と、
第１の表示手段と、
この第１の表示手段とは表示方向が正対する位置に設けられた第２の表示手段と、
前記撮像手段によって順次撮り込まれる画像を前記第１の表示手段に表示させるとともに、前記順次撮り込まれる画像に特殊効果を付与して前記第２の表示手段に表示させる表示制御手段と、
前記画像の記録を指示する指示手段と、
この指示手段により画像の記録が指示されると、前記第２の表示手段に表示されている画像に基づく画像データを記録する記録手段と
を備えることを特徴とする撮像装置。
【請求項２】
前記第１の表示手段の表示方向と前記撮像手段による撮像方向とがほぼ平行することを特徴とする請求項１に記載の撮像装置。
【請求項３】
撮像部、第１の表示部、この第１の表示部とは表示方向が正対する位置に設けられた第２の表示部、操作部、及び、メモリを備えた撮像装置における画像記録方法であって、
前記撮像部にて順次撮り込まれる画像を前記第１の表示部に表示させるとともに、前記順次撮り込まれる画像に特殊効果を付与して前記第２の表示部に表示させる表示制御ステップと、
この表示制御ステップによる表示中に、前記操作部からの所定の操作を検出することにより画像の記録を指示する指示ステップと、
この指示ステップにて画像の記録が指示されると、前記第２の表示部に表示されている画像に基づく画像データをメモリに記録させる記録ステップと
からなることを特徴とする画像記録方法。
【請求項４】
撮像部、第１の表示部、この第１の表示部とは表示方向が正対する位置に設けられた第２の表示部、操作部、及び、メモリを備えた撮像装置が有するコンピュータを、
前記撮像部にて順次撮り込まれる画像を前記第１の表示部に表示させるとともに、前記順次撮り込まれる画像に特殊効果を付与して前記第２の表示部に表示させる表示制御手段と、
前記操作部からの所定の操作を検出することにより画像の記録を指示する指示手段と、
この指示手段による画像の記録が指示されると、前記第２の表示部に表示されている画像に基づく画像データをメモリに記録させる記録手段と
して機能させることを特徴とする画像記録プログラム。
【発明の詳細な説明】
【技術分野】
【０００１】
本発明は、被写体の画像を表示するとともに記録媒体に記録させる撮像装置、及び画像記録方法及び画像記録プログラムに関する。
【背景技術】
【０００２】
今日においては、被写体像を撮像してそのまま記録する機能するのみならず、被写体画像の色調をモノクロ・セピアに変更したり、モザイク効果やフレーム合成等、特殊効果（エフェクト）を付与して記録する撮像装置が提案されるに至っている（例えば、特許文献１参照。）。この撮像装置において、撮像画像に特殊効果を付与するエフェクトモードを設定すると、撮像手段で得られ、ＤＭＡ転送される画像データがエフェクト処理され、エフェクト処理を終えた画像データがモニタ表示手段に供給される。したがって、例えばエフェクトが肌色を強調するような処理である場合には、肌色が強調された被写体画像がモニタに表示される。また、ユーザのシャッター操作により、肌色を強調された画像等のエフェクト処理された画像をメモリに記録することができる。
【特許文献１】特開２００２−３４４８７０号公報
【発明の開示】
【発明が解決しようとする課題】
【０００３】
しかしながら、前述した撮像装置にあっては、特に人物撮影等を行う際には、被写体となる人物に向けてエフェクト処理された画像をモニタ表示して撮影確認を行うことになるため、モニタ表示手段が１つしかない場合は、記録の度にアングルを動かしてしまうことになり被写体が希望した画像を記録できないという問題があった。
【０００４】
また、この問題点を解消するために、被写体側の画角確認のためのモニタ表示手段を更に設けると、エフェクト処理された画像により撮影画角の確認が困難であるという問題点があった。
【０００５】
本発明は、このような従来の課題に鑑みてなされたものであり、撮影者側でエフェクト処理された画像をモニタ表示させながら、被写体となる人物側では画角が容易に確認できる撮像装置、画像記録方法、及び画像記録プログラムを提供することを目的とするものである。
【課題を解決するための手段】
【０００６】
前記課題を解決するために請求項１記載の発明に係る撮像装置にあっては、撮像手段と、第１の表示手段と、この第１の表示手段とは表示方向が正対する位置に設けられた第２の表示手段と、前記撮像手段によって順次撮り込まれる画像を前記第１の表示手段に表示させるとともに、前記順次撮り込まれる画像に特殊効果を付与して前記第２の表示手段に表示させる表示制御手段と、前記画像の記録を指示する指示手段と、この指示手段により画像の記録が指示されると、前記第２の表示手段に表示されている画像に基づく画像データを記録する記録手段とを備える。
【０００７】
したがって、この撮像装置で人物の撮像を行った場合、第１の表示手段には、特殊効果を付与されていない、撮像手段によって順次撮り込まれる人物画像が表示され、第２の表示手段には特殊効果を付与された人物画像が表示される。このとき、第２の表示手段は、第１の表示手段とは表示方向が正対する位置に設けられていることから、撮影者側で特殊効果を付与された画像を第２の表示手段に表示させながら、被写体となる人物側では第１の表示手段では画角が容易に確認できることとなる。
【０００８】
また、請求項２記載の発明に係る撮像装置にあっては、前記第１の表示手段の表示方向と前記撮像手段による撮像方向とがほぼ平行する。したがって、撮像されている人物からは、第１の表示手段に表示されている特殊効果を付与されていない画像のみしか視認できないことから、当該人物において特殊効果を付与を伴う撮像であることを認識することはできず、通常の撮像であると認識する。そして、操作がなされると、特殊効果を付与された画像が記録されることから、記録された画像を再生した際に、初めて自分の画像が特殊効果を付与されて撮像されたことが分かる。したがって、当該人物が特殊効果を付与された画像を視認したときの驚愕により、人物画像に興趣性を発生させることができる。
【０００９】
また、請求項３記載の発明にあっては、撮像部、第１の表示部、この第１の表示部とは表示方向が正対する位置に設けられた第２の表示部、操作部、及び、メモリを備えた撮像装置における画像記録方法であって、前記撮像部にて順次撮り込まれる画像を前記第１の表示部に表示させるとともに、前記順次撮り込まれる画像に特殊効果を付与して前記第２の表示部に表示させる表示制御ステップと、この表示制御ステップによる表示中に、前記操作部からの所定の操作を検出することにより画像の記録を指示する指示ステップと、この指示ステップにて画像の記録が指示されると、前記第２の表示部に表示されている画像に基づく画像データをメモリに記録させる記録ステップとからなる。したがって、記載したステップに従って処理を実行することにより、請求項１記載の発明と同様の作用効果を奏する。
【００１０】
また、請求項４記載の発明に係る画像記録プログラムにあっては、撮像部、第１の表示部、この第１の表示部とは表示方向が正対する位置に設けられた第２の表示部、操作部、及び、メモリを備えた撮像装置が有するコンピュータを、前記撮像部にて順次撮り込まれる画像を前記第１の表示部に表示させるとともに、前記順次撮り込まれる画像に特殊効果を付与して前記第２の表示部に表示させる表示制御手段と、前記操作部からの所定の操作を検出することにより画像の記録を指示する指示手段と、この指示手段による画像の記録が指示されると、前記第２の表示部に表示されている画像に基づく画像データをメモリに記録させる記録手段として機能させる。したがって、前記コンピュータがこのプログラムに従って処理を実行することにより、請求項１記載の発明と同様の作用効果を奏する。
【発明の効果】
【００１１】
以上説明したように請求項１、３、４に係る発明によれば、撮影者側で特殊効果を付与された画像を第２の表示手段に表示させながら、被写体となる人物側では第１の表示手段では画角が容易に確認することが可能となる。
【００１２】
さらに、請求項２に係る発明によれば、撮像されている人物からは、第１の表示手段に表示されている特殊効果を付与されていない画像のみしか視認できないことから、記録された画像を再生した際に、初めて自分の画像が特殊効果を付与され撮像されたことが分かる。したがって、当該人物が特殊効果を付与された画像を視認したときの驚愕により、人物画像に興趣性を発生させることができる。
【発明を実施するための最良の形態】
【００１３】
以下、本発明を携帯電話に適用した実施の形態を図に従って説明する。
【００１４】
（第１の実施の形態）
図１は、本発明の各実施の形態に共通する携帯電話（撮像装置）１の外観図（開状態：前面図及び背面図）であり、携帯電話１は、蓋部１１と本体部１２とからなる二つ折りの構造である。アンテナ１０３は、本体部１２の背面に設けられており、伸縮自在となっている。スピーカ１０１は、蓋部１１の前面側に設けられており、音声出力を行う。メイン表示部１０２は、ＱＶＧＡカラー液晶であり、蓋部１１の前面略中央部に配置されている。
【００１５】
本体部１２の前面には、カメラキー１０４、メールキー１０５、十字キー１０６、決定キー１０７、アドレスキー１０８、ネット接続キー１０９、クリアキー１１０、オンフックキー１１１とオフフックキー１１２、数字キー１１３等が設けられている。これらのキーにおいて、十字キー１０６、決定キー１０７、アドレスキー１０８、ネット接続キー１０９は、この携帯電話１を右手で握持した場合、当該右手の親指で操作可能な位置に配置されている。
【００１６】
また、カメラキー１０４は、着信待受け状態から撮影モードへの移行時及び撮像部の起動させる際に操作されるとともに、カメラ−ムービー切替に使用される。メールキー１０５は、メールモード移行時及びメールプログラムロード時に操作されるキーである。十字キー１０６は、カーソル移動時に操作され、決定キー１０７は各種モード（後述するエフェクトモード等）の決定時に操作され、また、本実施の形態においてはこの決定キー１０７が撮影モードにおいてシャッターキーとして機能する。
【００１７】
アドレスキー１０８は、アドレス帳データを表示する際に操作されるキーであり、ネット接続キー１０９は、外部のネットワーク接続用の操作キーである。クリアキー１１０は、キャンセル指示用のキーであり、数字キー１１３は、文字入力及びダイアル入力用として使用され、数字［０］〜［９］が付されたキー構成されている。マイク１１４は、本体部１２の下部に設けられており、通話時において音声入力を行う。
【００１８】
また、蓋部１１の背面には、録音用マイク１１５、カラー液晶からなるサブ表示部１１６、着信の際、発光する報知用ＬＥＤ１１７、光学系としての撮像レンズ１１８、及びフラッシュ用ＬＥＤ１１９が配置されている。また、本体部１２の裏面には報知用スピーカ１２０が配置されている。この報知用スピーカ１２０は、着信などを報知するものであり、蓋部１１を本体部１２に閉じた状態でも報知音が聞こえるように、本体部１２の裏面に配置されている。
【００１９】
図２は、携帯電話１の構成を示すブロック図である。無線部１２１は、アンテナ１０３に接続されており、ＱＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。
【００２０】
通信データ処理部１２２１は、ＣＬＥＰ系音声復号符号化処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜数字キー１１３等で構成される。
【００２１】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、各種アプリケーションプログラム等を格納し、特に本実施の形態においては、ＤＳＰ１２９にてデジタル化された画像データに対し圧縮符号化処理を施すためのプログラム等を含むカメラアプリケーションを記憶する。音源ＩＣ１２６は、報知音の波形を記憶するともに出力するものであって、アンプ１２７は音源ＩＣ１２６からの出力を増幅し、前記報知用スピーカ１２０はこれを再生する。
【００２２】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズ１１８により絞り１３２を介して被写体像が結像されるＣＣＤ等からなる。ＤＳＰ１２９は、この撮像デバイス１３０からの画像信号をデジタル信号化処理するものである。このデジタル信号化処理された画像データに基づき、表示モジュール系ドライバがメイン表示部１０２を駆動することにより、撮像デバイス１３０上に結像された被写体像がメイン表示部１０２に表示されるとともに、シャッター操作（決定キー１０７の操作）に伴い当該被写体像の画像データが後述する画像メモリ１２４３に記録されるように構成されている。
【００２３】
また、ＤＳＰ１２９は、本実施の形態においてエフェクト処理手段を構成するものであり、後述するエフェクトモードにおいては、撮像デバイス１３０からの画像信号をデジタル信号化処理のみ行ったスルー画像データと、デジタル信号に特殊効果を付与（エフェクト処理）した画像データとを出力する。この特殊効果を付与した画像データに基づき、表示モジュール系ドライバがメイン表示部１０２を駆動することにより、メイン表示部１０２には特殊効果が付与された画像が表示される。また、スルー画像データに基づき、表示モジュール系ドライバがサブ表示部１１６を駆動することにより、サブ表示部１１６にはスルー画像データそのものの画像が表示される。そして、シャッター操作（決定キー１０７の操作）に伴い当該特殊効果が付与された画像データが後述する画像メモリ１２４３に記録されるように構成されている。
【００２４】
また、撮像レンズ１１８はオートフォーカス制御用のステップモータ等からなる駆動機構（図示せず）に保持されている。そして、制御部１２２からのコントラスト検出方式のパッシブＡＦに基づく制御信号に応じて、ＡＦドライバ１３１が出力する駆動信号が駆動機構に供給されることにより、撮像レンズ１１８を光軸上の前後に移動して合焦動作を行うように構成されている。なお、絞り１３２はパンフォーカスが可能な絞り値が設定された固定式である。
【００２５】
図３は、プログラムＲＯＭ１２５のメモリエリアの構成を示す概念図である。プログラムＲＯＭ１２５は、ソフトウェアプログラム格納領域１２５１及びその他の格納領域１２５２とを有している。ソフトウェアプログラム格納領域１２５１には、本実施の形態の特徴であるカメラアプリケーションが格納されており、その他の格納領域１２５２にはその他のアプリケーションが格納されている。
【００２６】
図４は、前記ＲＡＭ１２４のメモリエリアの構成を示す概念図である。ＲＡＭ１２４は、アドレス帳記憶領域１２４１、メールデータ記憶領域１２４２、画像メモリ１２４３、及びその他のワーク領域１２４４からなる。アドレス帳記憶領域１２４１は、氏名、電話番号、メールアドレス等を１レコードとして複数記憶する。メールデータ記憶領域１２４２には、メールソフトウェアを使用して作成されたメールデータや、受信したメールデータを格納する。画像メモリ１２４３は、撮影された画像の画像ファイルを格納する。その他のワーク領域１２４４は、ワークメモリとして各種データ格納する。
【００２７】
次に、以上の構成に係る携帯電話１の動作について説明する。着信待受け状態においては、この携帯電話１は一般的な携帯電話と同様に機能する。つまり、前述のように、メールキー１０５は、メールモード移行時及びメールプログラムロード時に操作されるキーとして機能し、アドレスキー１０８は、アドレス帳データを表示する際に操作されるキーとして機能し、ネット接続キー１０９は、外部のネットワーク接続用の操作キーとして機能し、数字キー１１３は、文字入力及びダイアル入力用キーとして機能する。
【００２８】
そして、ユーザが携帯電話１で静止画撮影を行うべく、カメラキー１０４を操作して撮影モードにおけるカメラモードを設定すると、制御部１２２はカメラモードに移行し、ソフトウェアプログラム格納領域１２５１に記憶されるカメラアプリケーションをロードし、図５に示すフローチャートに従って処理を実行する。
【００２９】
先ず、カメラモードにおいて特殊効果を付与した画像データをモニタ表示させるエフェクトモードが設定されたか否かを判断し（ステップＳ１０１）、エフェクトモードが設定されなかった場合には、通常のカメラモード処理に移行する。エフェクトモードが選択されたならば、メイン表示部１０２に特殊効果選択画面を表示させる（ステップＳ１０２）。ここで、本実施の形態における特殊効果は後述するように人物の顔画像にエフェクトをかける「どぅーん顔」「寄せ顔」「モザイク」「鼻まがり」である。よって、ユーザは人物撮影時にエフェクトモードを選択すると、予め用意されたこれら特殊効果をメイン表示部１０２に表示させ、いずれかが選択されるまで（ステップＳ１０３）待機する。そして、いずれかの特殊効果が選択されたならば、メイン表示部１０２には前記ステップＳ１０３で選択された特殊効果を付与したスルー画像を表示し（ステップＳ１０４）、一方サブ表示部１１６には、特殊効果を付与していないスルー画像を表示する（ステップＳ１０５）。
【００３０】
つまり、前述のようにＤＳＰ１２９を制御して、撮像デバイス１３０からの画像信号をデジタル信号化処理させ、このデジタル信号を選択された特殊効果を付与した画像データと、撮像デバイス１３０からの画像信号をデジタル信号化処理のみ行ったスルー画像データとを出力させる。そして、特殊効果を付与した画像データに基づき、表示モジュール系ドライバにメイン表示部１０２を駆動させることにより、メイン表示部１０２には特殊効果を付与した画像を表示させる（ステップＳ１０４）。したがって、このステップＳ１０４での処理により、図６に示すように、メイン表示部１０２には、例えば「どぅーん顔」という特殊効果を付与した画像Ｅ１が表示される。また、他の特殊効果が選択された場合には、選択された特殊効果を付与した画像Ｅ２、Ｅ３、Ｅ４のいずれが表示される。
【００３１】
一方、ＤＳＰ１２９から出力されたスルー画像データに基づき、表示モジュール系ドライバにメイン表示部１０２を駆動させることにより、サブ表示部１１６には特殊効果を付与していない画像を表示させる（ステップＳ１０５）。したがって、このステップＳ１０５での処理により、図７に示すように、サブ表示部１１６には、被写体となっている当該人物部の画像Ｐが表示される。
【００３２】
よって、ユーザは、携帯電話１の現在の撮影位置を保持しつつ、前面側のメイン表示部１０２に表示された画像Ｅ１（Ｅ２，Ｅ３，Ｅ４）を見ることにより、特殊効果を付与した画像を確認でき、一方、被写体側では、背面側のサブ表示部１１６に表示された画像Ｐにより撮影される画角の確認が可能となる。
【００３３】
そして、ユーザがこの確認の結果、特殊効果を付与した画像データの方が良いと判断した場合には決定キー１０７が操作を操作する。すると、ステップＳ１０６の判断がＹＥＳとなり、特殊効果が付与された画像データを保存する（ステップＳ１０７）。すなわち、メイン表示部１０２に表示されている画像Ｅ１の画像データを、カメラアプリケーションにて圧縮符号化処理して画像ファイルを生成し、この画像ファイルを画像メモリ１２４３に記憶させる。
【００３４】
このように、この携帯電話１で人物の撮像を行った場合、当該人物のエフェクト処理された画像Ｅ１は、撮像レンズ１１８が向けられている人物側とは反対の面である前面に配置されたサブ表示部１１６に表示され、エフェクト処理されていない画像Ｐは、撮像レンズ１１８が向けられている人物側の面である背面に配置されたサブ表示部１１６に表示される。  
【００３５】
なお、本実施の形態においては、決定キー１０７が操作されると即時に特殊効果を付与した画像を保存するようにしが、この保存すべき画像をメイン表示部１０２に一旦プレビュー表示させ、しかる後に所定の操作に応じて保存するようにしてもよい。
【００３６】
（第２の実施の形態）
図８は、本発明の第２の実施の形態における処理手順を示すフローチャートである。ユーザが携帯電話１で動画撮影を行うべく、カメラキー１０４を操作して撮影モードにおけるムービーモードを設定すると、制御部１２２はムービーモードに移行し、ソフトウェアプログラム格納領域１２５１に記憶されるカメラアプリケーションをロードし、図８に示すフローチャートに従って処理を実行する。
【００３７】
先ず、ムービーモードにおいて上記第１の実施の形態と同様にエフェクトモードが設定されたか否かを判断し（ステップＳ２０１）、エフェクトモードが設定されなかった場合には、通常のムービーモード処理に移行する。エフェクトモードが選択されたならば、メイン表示部１０２には順次特殊効果を付与したスルー画像を表示し（ステップＳ２０２）、一方サブ表示部１１６には、特殊効果を付与していないスルー画像を表示する（ステップＳ２０３）。
【００３８】
ここで、本実施の形態における特殊効果の種類は前述のように人物の顔画像に特殊効果を付与する「どぅーん顔」「寄せ顔」「モザイク」「鼻まがり」である。よって、ユーザが人物撮影時にエフェクトモードを選択すると、特殊効果を所定のタイミング毎に変化させて付与した画像データと、撮像デバイス１３０からの画像信号をデジタル信号化処理のみ行ったスルー画像データとをＤＳＰ１２９出力させる。そして、特殊効果を付与した画像データに基づき、表示モジュール系ドライバにメイン表示部１０２を駆動させることにより、メイン表示部１０２には図９に示すように、特殊効果が付与された画像Ｅ１→Ｅ３→Ｅ４→Ｅ２が表示される。  一方、ＤＳＰ１２９から出力されたスルー画像データに基づき、表示モジュール系ドライバにメイン表示部１０２を駆動させることにより、前記図７に示したように、サブ表示部１１６には、被写体となっている当該人物部の画像Ｐが表示される。
したがってユーザは、携帯電話１の現在の撮影位置を保持しつつ、前面側のメイン表示部１０２に表示されて変化する画像Ｅ１→Ｅ３→Ｅ４→Ｅ２を見ることにより、特殊効果を付与した動画像を確認でき、一方、被写体側では、背面側のサブ表示部１１６に表示された画像Ｐにより撮影される画角の確認が可能となる。
【００３９】
ユーザがこの確認の結果、特殊効果を付与した方が良いと判断した場合には決定キー１０７が操作を操作する。すると、ステップＳ２０４の判断がＹＥＳとなり、特殊効果が付与された動画データを前記ＲＡＭ１２４のその他のワーク領域１２４４に蓄積する（ステップＳ２０５）。さらに、再度決定キー１０７が操作されたか否かを判断し（ステップＳ２０６）、再度決定キー１０７が操作されるまでその他のワーク領域１２４４への動画データの蓄積を継続する。
【００４０】
そして、ユーザが動画撮影を終了すべく再度決定キー１０７を操作すると、動画撮影を終了し、その他のワーク領域１２４４に蓄積されている複数のフレームからなる動画データを、カメラアプリケーションにて圧縮符号化処理して動画ファイルを生成し、この動画ファイルを画像メモリ１２４３に記録する（ステップＳ２０７）。よって、ユーザにおいてむしろ特殊効果を付与しない方が良かったと思われる動画データを記録してしまう不都合を未然に防止することができる。
【００４１】
なお、本実施の形態においては、本発明を携帯電話に適用した場合を示したが、これに限ることなく、ＰＤＡ、デジタルカメラ単体、携帯型ゲーム機等撮像機能を有する他の機器に適用し得ることは勿論である。
【図面の簡単な説明】
【００４２】
【図１】（ａ）は本発明の各実施の形態に共通する携帯電話の前面図、（ｂ）は背面図である。
【図２】携帯電話の構成を示すブロック図である。
【図３】プログラムＲＯＭのメモリエリアの構成を示す概念図である。
【図４】ＲＡＭのメモリエリアの構成を示す概念図である。
【図５】本発明の第１の実施の形態における処理手順を示すフローチャートである。
【図６】同実施の形態におけるメイン表示部の表示画面例を示す図である。
【図７】同実施の形態及び第２の実施の形態におけるサブ表示部の表示画面例を示す図である。
【図８】本発明の第２の実施の形態における処理手順を示すフローチャートである。
【図９】同実施の形態におけるメイン表示部表示画面例を示す図である。
【符号の説明】
【００４３】
１    携帯電話（撮像装置）
１０２    メイン表示部（第２の表示手段、第２の表示部）
１０４    カメラキー
１０７    決定キー（指示手段、操作部）
１１３    数字キー
１１６    サブ表示部（第１の表示手段、第１の表示部）
１１８    撮像レンズ（撮像手段、撮像部）
１２２    制御部（表示制御手段）
１２３    データバス処理部
１２４    ＲＡＭ
１２５    プログラムＲＯＭ
１２８    表示モジュール系ドライバ（表示制御手段、記録手段）
１２９    ＤＳＰ
１３０    撮像デバイス（撮像手段、撮像部）
１３１    ＡＦドライバ
１０２１    倍率数値
１２４１    アドレス帳記憶領域
１２４２    メールデータ記憶領域
１２４３    画像メモリ（記録手段、メモリ）
１２４４    ワーク領域
１２５１    ソフトウェアプログラム格納領域
【図１】
2005318347.tif 000003
【図２】
2005318347.tif 000004
【図３】
2005318347.tif 000005
【図４】
2005318347.tif 000006
【図５】
2005318347.tif 000007
【図６】
2005318347.tif 000008
【図７】
2005318347.tif 000009
【図８】
2005318347.tif 000010
【図９】
2005318347.tif 000011